(57)【要約】【課題】遮蔽体によって覆い隠す装飾物の大きさをより大きくできる可動役物を備える。【解決手段】本発明に係るパチンコ機は、第１及び第２の遮蔽体５１，５２と、端面を互いに接触させることで一体化された第１及び第２の遮蔽体５１，５２の内側に、前側を覆い隠すように配置された装飾物と、前記装飾物の後側に配置された回転軸４７と、回転軸４７と第１の遮蔽体５１とが連結された第１の連結部材５８と、回転軸４７と第２の遮蔽体５２とが連結された第２の連結部材６０と、第１及び第２の遮蔽体を、回転軸４７を中心として回転させる駆動力を与える駆動源と、を具備する可動役物を備える。第１及び第２の遮蔽体それぞれを、前記駆動源によって回転軸４７を中心として互いに逆方向に回転させて離間させることにより、装飾物の前側を覆い隠している状態から装飾物の前側を露出させた状態にする。【選択図】      図８
2008295628.tif 000002
【特許請求の範囲】
【請求項１】
パチンコ球の始動口への入賞に基づいて選択される演出パターンに応じて、装飾物を露出させる可動役物を備えたパチンコ機において、
前記可動役物は、
内部が空の楕円体をその長径方向に沿って切断することで得られた二分割体のうち大きさの小さい方の二分割体を、前記小さい方の二分割体の切断面に垂直で且つ短径方向に沿って略二等分に更に切断することで得られた二分割体からなる第１の遮蔽体及び第２の遮蔽体と、
前記略二等分に切断して得られた端面を互いに接触させることで一体化された第１の遮蔽体及び第２の遮蔽体の内側に、前側を覆い隠すように配置された装飾物と、
前記装飾物の後側に配置され、前記切断面と平行に配置された回転軸と、
前記回転軸と前記第１の遮蔽体とが連結され、前記第１の遮蔽体が前記回転軸を中心として回転可能に取り付けられた第１の連結部材と、
前記回転軸と前記第２の遮蔽体とが連結され、前記第２の遮蔽体が前記回転軸を中心として回転可能に取り付けられた第２の連結部材と、
前記第１の遮蔽体及び前記第２の遮蔽体を、前記回転軸を中心として回転させる駆動力を与える駆動源と、を具備し、
前記第１の遮蔽体及び前記第２の遮蔽体それぞれを、前記駆動源によって前記回転軸を中心として互いに逆方向に回転させて離間させることにより、前記装飾物の前側を覆い隠している状態から前記装飾物の前側を露出させた状態にすることを特徴とするパチンコ機。
【請求項２】
請求項１において、前記略二等分に切断して得られた前記第１の遮蔽体の第１端面及び前記第２の遮蔽体の第２端面それぞれはテーパー面とされており、前記第１端面と前記第２端面を互いに接触させることによって前記装飾物の前側を覆い隠した際に、前記第１の遮蔽体及び前記第２の遮蔽体それぞれの厚み方向において前記第１の遮蔽体と前記第２の遮蔽体とが前記テーパー面で重なる状態がもたらされ、この状態では前記装飾物が前記第１端面と前記第２端面との間の隙間から露出しないようになっていることを特徴とするパチンコ機。
【発明の詳細な説明】
【技術分野】
【０００１】
本発明は、遮蔽体によって覆い隠す装飾物の大きさをより大きくできる可動役物を備えたパチンコ機に関する。
【背景技術】
【０００２】
パチンコ機においては、大当りの期待感を煽るために、装飾物を設けて演出を行うことが一般的となっている。例えば特許文献１には、遊技盤に印籠を模した装飾物が設けられたパチンコ機が開示されている。
【０００３】
しかしながら、上述した従来のパチンコ機では、印籠を模した装飾物が遊技者に常に見えるようになっているため、その装飾物を見慣れた遊技者にとってはあまり興味をそそられるものではなかった。
【０００４】
【特許文献１】特開２００７−２９２５５（図１）
【発明の開示】
【発明が解決しようとする課題】
【０００５】
遊技者に装飾物に対してより興味を持ってもらう方法としては、通常の状態では装飾物が遊技者から見えない状態にしておき、その装飾物を所定のタイミングで遊技者に見せるような構造とすることが考えられる。装飾物が見える状態と見えない状態を実現するには次のような方法が考えられる。内部が空の球状物を、球の中心を通る面で半分に切断し、この切断した半球状物を更に球の中心を通る面で半分に切断することで、球状物を四分割した第１及び第２の遮蔽体４５，４６を用意する（図８（Ａ）参照）。第１及び第２の遮蔽体４５，４６は、遊技者の視線を遮り装飾物を覆い隠すものである。
【０００６】
装飾物が見えない状態にする場合は、第１及び第２の遮蔽体４５，４６の切断された端面を接触させて一体化することで（図８（Ａ）に示す状態）、内部が空の半球状の遮蔽体を形成し、この半球状の遮蔽体の内部に装飾物を配置した状態とする。そして、装飾物が見える状態にする場合は、第１及び第２の遮蔽体４５，４６の互いに接触させていた前記端面が離れるように、回転軸４７を中心として第１及び第２の遮蔽体４５，４６を互いに逆方向に回転させる（図１０（Ｂ）参照）。これにより装飾物４８が露出され（図９（Ｂ）参照）。
【０００７】
しかしながら、上述したように第１及び第２の遮蔽体４５，４６を、球状物を四分割した形状とすると、大きな奥行きのスペースが必要となるため、遊技盤面とガラス板までの距離が決まっているという奥行き制限があるパチンコ機には不向きである。換言すれば、球状物を四分割した第１及び第２の遮蔽体４５，４６を用いると、奥行き制限のあるパチンコ機では、遮蔽体で隠す装飾物５０の大きさを小さくしなければならなくなる。
【０００８】
本発明は上記のような事情を考慮してなされたものであり、その目的は、遮蔽体によって覆い隠す装飾物の大きさをより大きくできる可動役物を備えたパチンコ機を提供することにある。
【課題を解決するための手段】
【０００９】
本発明に係るパチンコ機は、パチンコ球の始動口への入賞に基づいて選択される演出パターンに応じて、装飾物を露出させる可動役物を備えたパチンコ機において、前記可動役物は、内部が空の楕円体をその長径方向に沿って切断することで得られた二分割体のうち大きさの小さい方の二分割体を、前記小さい方の二分割体の切断面に垂直で且つ短径方向に沿って略二等分に更に切断することで得られた二分割体からなる第１の遮蔽体及び第２の遮蔽体と、前記略二等分に切断して得られた端面を互いに接触させることで一体化された第１の遮蔽体及び第２の遮蔽体の内側に、前側を覆い隠すように配置された装飾物と、前記装飾物の後側に配置され、前記切断面と平行に配置された回転軸と、前記回転軸と前記第１の遮蔽体とが連結され、前記第１の遮蔽体が前記回転軸を中心として回転可能に取り付けられた第１の連結部材と、前記回転軸と前記第２の遮蔽体とが連結され、前記第２の遮蔽体が前記回転軸を中心として回転可能に取り付けられた第２の連結部材と、前記第１の遮蔽体及び前記第２の遮蔽体を、前記回転軸を中心として回転させる駆動力を与える駆動源と、を具備し、前記第１の遮蔽体及び前記第２の遮蔽体それぞれを、前記駆動源によって前記回転軸を中心として互いに逆方向に回転させて離間させることにより、前記装飾物の前側を覆い隠している状態から前記装飾物の前側を露出させた状態にすることを特徴とする。
上記パチンコ機によれば、第１及び第２の遮蔽体それぞれを、楕円体を分割した形状としているため、奥行き制限があるパチンコ機においても装飾物の大きさを大きくすることができる。
【００１０】
また、本発明に係るパチンコ機において、前記略二等分に切断して得られた前記第１の遮蔽体の第１端面及び前記第２の遮蔽体の第２端面それぞれはテーパー面とされており、前記第１端面と前記第２端面を互いに接触させることによって前記装飾物の前側を覆い隠した際に、前記第１の遮蔽体及び前記第２の遮蔽体それぞれの厚み方向において前記第１の遮蔽体と前記第２の遮蔽体とが前記テーパー面で重なる状態がもたらされ、この状態では前記装飾物が前記第１端面と前記第２端面との間の隙間から露出しないようになっていることも可能である。
【発明を実施するための最良の形態】
【００１１】
以下、図面を参照して本発明の実施の形態について説明する。
本発明の実施の形態によるパチンコ機は、パチンコ球が始動口に入賞したことを条件に抽選を行ってその抽選結果に応じて変動パターンを設定し、変動パターンの設定結果に基づいて図柄遊技の演出パターンを設定し、この演出パターンに応じて装飾物を遊技者から見えない状態から見える状態にするか否かが決められるものである。
【００１２】
１．パチンコ機の機械的構成および電気的構成について
パチンコホールの台島には、図２および図３に示すように、外枠１が設置されている。この外枠１は前後面が開口する四角筒状をなすものであり、外枠１の前端面には前枠２が左側辺部の垂直な軸を中心に回動可能に装着されている。この前枠２の前面には、下端部に位置して横長な長方形状の下皿板３が固定されており、下皿板３の前面には上面が開口する下皿４が固定されている。また、前枠２の前面には下皿板３の上方に位置して上皿板５が装着されており、上皿板５の前面には上面が開口する上皿６が固定されている。この上皿板５の後面には右端部に位置してスピーカ７が固定されており、スピーカ７の駆動時にはスピーカ７から前方の遊技者に遊技音が出力される。
【００１３】
下皿板３の前面には右端部に位置してハンドル台８が固定されており、ハンドル台８には発射ハンドル９が前後方向へ延びる水平な軸を中心に回動可能に装着されている。この発射ハンドル９の後方には、図３に示すように、発射モータ１０が固定されており、発射モータ１０の回転軸には、図２に示すように、打球槌１１が連結されている。この発射モータ１０は打球槌１１の駆動源に相当するものであり、発射ハンドル９が図２の時計回り方向へ回動操作されたときには発射モータ１０に駆動電源が与えられ、打球槌１１が駆動することに基づいて上皿６内のパチンコ球を上皿６内から弾き出す。
【００１４】
前枠２の前面には、図２に示すように、矩形状の窓枠１２が左側辺部の垂直な軸を中心に回動可能に装着されており、窓枠１２の内周面には透明なガラス窓１３が固定されている。また、前枠２の後面には額縁状の機構盤が固定されている。この機構盤には正方形状の遊技盤１４（図１参照）が着脱可能に装着されており、遊技盤１４は窓枠１２のガラス窓１３により前方から覆われている。
【００１５】
遊技盤１４の前面には、図１に示すように、外レール１５および内レール１６が固定されている。これら外レール１５および内レール１６間には左側部に位置して発射通路１７が形成されており、打球槌１１が弾いたパチンコ球は発射通路１７内を通って上昇する。また、遊技盤１４には遊技領域１８が形成されており、遊技領域１８内には複数の障害釘１９が打込まれている。この遊技領域１８は外レール１５および内レール１６によって囲まれた円形領域（発射通路１７を除く残余領域）を称するものであり、発射通路１７内を上昇するパチンコ球は発射通路１７の出口２０から遊技領域１８内に放出され、障害釘１９に当りながら遊技領域１８内を落下する。即ち、遊技領域１８は発射通路１７の出口２０から放出されたパチンコ球が転動可能な最大範囲である転動領域に相当する。
【００１６】
窓枠１２には、図２に示すように、ガラス窓１３の外周部に位置して複数のランプカバー２１が固定されており、各ランプカバー２１の後方には複数のＬＥＤ２２が配置されている。これら各ＬＥＤ２２は窓枠２１に固定されたものであり、各ランプカバー２１は後方のＬＥＤ２２が発光することに基づいて照明される。ガラス窓１３の下方には、操作手段に相当する操作スイッチ７８が設けられている。この操作スイッチ７８は、図２に示すように、上皿６に前方から操作可能に固定された自己復帰形のプッシュスイッチからなるものである。
【００１７】
遊技盤１４の前面には、図１に示すように、遊技領域１８内に位置する図柄表示装置２３が設けられている。この図柄表示装置２３には、遊技情報などの映像が映し出される表示器２５（例えば、ＬＣＤなど）が備えられている。さらに、かかる図柄表示装置２３には可動役物２４が設けられている。この可動役物２４は、その上方に板状の突起物が設けられており、遊技盤１４（図１〜図２参照）を落下転動するパチンコ球が衝突することが殆どないので、パチンコ球の落下転動とは無関係の遊技上の装飾物である。
【００１８】
図柄表示装置２３の後面には図柄基板ケースが固定されており、図柄基板ケース内には図４に示す図柄制御基板３０が収納されている。この図柄制御基板３０には、図柄表示制御手段に相当する図柄表示制御用ＣＰＵ３１や、図柄表示制御用ＲＯＭ３２、図柄表示制御用ＲＡＭ３３、入力・出力ポート３４、ＶＤＰ３５などが搭載されており、図柄表示制御用ＣＰＵ３１は、図柄表示制御用ＲＯＭ３２及び図柄表示制御用ＲＡＭ３３などに記憶された制御方法その他の技術情報に基づいて、ＶＤＰ３５に接続された表示器２５（図１参照）の表示内容を制御する。
【００１９】
遊技盤１４の遊技領域１８内には、図１に示すように、上面が開口するポケット状の始動口２６が設けられている。この始動口２６内には近接スイッチからなる始動口センサ８１（図４参照）が固定されており、始動口センサ８１は始動口２６内にパチンコ球が入賞したことを検出して始動信号を出力する。
遊技領域１８内には、図１に示すように、始動口２６の下方に位置して前面が開口する四角筒状の大入賞口２７が設けられている。この大入賞口２７は、大入賞口ソレノイド８４（図４参照）によって開閉される。大入賞口２７内には近接スイッチからなるカウントセンサ８２（図４参照）が固定されており、カウントセンサ８２は大入賞口２７内にパチンコ球が入賞したことを検出してカウント信号を出力する。
【００２０】
遊技盤１４の後面には、図３に示すように、センタカバー４１が着脱可能に装着されている。このセンタカバー４１は前面が開口する容器状をなすものであり、図柄表示装置２３および図柄基板ケースは後方からセンタカバー４１によって覆われている。
【００２１】
前枠２の後面には、メインセット５４が着脱可能に装着されている。このメインセット５４はセンタカバー４１を囲う矩形枠状をなすものであり、センタカバー４１はメインセット５４の内周部に収納されている。このメインセット５４の後面には上端部に位置して球タンク５５が固定されており、球タンク５５内にはパチンコ球が貯溜されている。また、メインセット５４の後面にはタンクレール５６が固定されている。このタンクレール５６は傾斜樋状をなすものであり、タンクレール５６の右端部は球タンク５５内に接続されている。
【００２２】
メインセット５４の左側部には賞球払出装置５７が着脱可能に装着されている。この賞球払出装置５７は、パチンコ球が始動口２６内および大入賞口２７内に入賞することに基づいてパチンコ球を賞品球として放出する。
【００２３】
メインセット５４の後面には、図３に示すように、メイン基板ケース５９の前方に位置して払出基板ケース６６が固定されている。
【００２４】
また、メインセット５４の後面には、図３に示すように、センタカバー４１の下方に位置してメイン基板ケース５９が固定されている。このメイン基板ケース５９内には、図４に示すようにメイン制御基板２８が収納されており、メイン制御基板２８には、当落判定手段、可変情報選択手段などのメイン制御手段に相当するメイン制御用ＣＰＵ２９や、メイン制御用ＲＯＭ３６、メイン制御用ＲＡＭ３７、入力・出力ポート３８などが搭載されている。メイン制御基板２８には始動口センサ８１およびカウントセンサ８２が電気的に接続されている。また、メイン制御基板２８には駆動回路８３を介して大入賞口ソレノイド８４が電気的に接続されている。
【００２５】
メイン制御基板２８には演出制御基板７３が電気的に接続されている。この演出制御基板７３はＣＰＵ７４・ＲＯＭ７５・ＲＡＭ７６・Ｉ／Ｏ７７を有するものであり、メイン制御基板２８は始動口センサ８１からの始動信号を検出したことを条件に遊技データを設定し、演出制御基板７３に送信する。演出制御基板７３はメイン制御基板２８からの遊技データに基づいて演出パターンを設定し、図柄制御基板３０に送信する。また、演出制御基板７３には図柄制御基板３０が電気的に接続されており、図柄制御基板３０には可動役物制御基板４０が電気的に接続されている。図柄制御基板３０は演出制御基板７３からの演出パターンに基づいて表示器２５を駆動制御する。
【００２６】
また、可動役物制御基板４０には、可動役物制御手段に相当する可動役物制御用ＣＰＵ３９や、可動役物制御用ＲＯＭ４２、可動役物制御用ＲＡＭ４３、入力・出力ポート４４、などが搭載されており、可動役物制御用ＣＰＵ３９は、可動役物制御用ＲＯＭ４２及び可動役物制御用ＲＡＭ４３などに記憶された制御方法その他の技術情報に基づいて、入力・出力ポート４４に接続された可動役物２４の動作内容を制御する。
【００２７】
さらに、図４のブロック図においては、４つの入力・出力ポート３８，７７，３４，４４を介して、メイン制御用ＣＰＵ２９と、演出制御用ＣＰＵ７４、図柄表示制御用ＣＰＵ３１、可動役物制御用ＣＰＵ３９がそれぞれ接続されている。従って、メイン制御用ＣＰＵ２９は、演出制御用ＣＰＵ７４、図柄表示制御用ＣＰＵ３１及び可動役物制御用ＣＰＵ３９を介して、表示器２５の表示内容に合わせて可動役物２４の動作内容を制御することができる。
【００２８】
２．パチンコ機の遊技機能について
遊技者が上皿６内にパチンコ球を投入して発射ハンドル９を時計回り方向へ回動操作すると、遊技盤１４内にパチンコ球が発射され、障害釘１９に当りながら落下する。このパチンコ球が始動口２６内に入賞すると、賞球払出装置５７から設定個数のパチンコ球が上皿６内に賞品球として払出されるとともに、図柄遊技が開始される。
３．メイン制御基板２８の内部処理について
メイン制御基板２８のＣＰＵ２９は、始動口センサ８１からの始動信号の有無を判断し、図５のステップＳ３１で始動信号を検出したときには、ステップＳ３２で大当り判定用ランダムカウンタの現在の計測値を取得し、ステップＳ３３でこの取得したランダムカウンタを１個の大当り値、例えば「７」と比較する。ここでランダムカウンタ値の取得結果が１個の大当り値と相違していることを検出したときには外れと判定し、ランダムカウンタの取得結果が１個の大当り値と同一であることを検出したときには大当りと判定する。大当りの確率は例えば「１／３６０」である。
【００２９】
ＣＰＵ２９は大当りおよび外れを判定すると、図５のステップＳ３４で大当りおよび外れの判定結果を検出する。ここで大当りを検出したときには、ステップＳ３５で大当り変動パターン選択カウンタの現在の計測値を取得し、ステップＳ３６でこの取得した選択カウンタ値に対応する大当り変動パターンを複数の大当り変動パターンの中から選択する（ステップＳ３６）。
【００３０】
また、図５のステップＳ３４で外れの判定結果を検出したときには、ステップＳ３７で外れ変動パターン選択カウンタの現在の計測値を取得し、ステップＳ３８でこの取得した選択カウンタ値に対応する外れ変動パターンを複数の外れ変動パターンの中から選択する（ステップＳ３８）。なお、大当り変動パターン、外れ変動パターンは、前記の可変情報の一例であり、これら大当り変動パターン、外れ変動パターンによって演出時間が設定される。
【００３１】
次に、図６に示すコマンド信号送信処理について説明する。
ステップＳ４１で変動処理中のフラグがＯＮであるか否かが判定され、変動処理中のフラグがＯＮでない場合は、ステップＳ３６で選択された大当り変動パターン、またはステップＳ３８で選択された外れ変動パターンをステップＳ４２で演出制御基板７３に送信する。次に、ステップＳ４３で変動時間の計測が開始され、ステップＳ４４で変動処理中のフラグがＯＮされる。なお、ステップＳ４１で変動処理中のフラグがＯＮである場合はステップＳ４２からステップＳ４４を処理しない。
【００３２】
次に、図７に示す確定信号送信処理について説明する。
メイン制御基板２８において、ステップＳ５１で変動処理中のフラグがＯＮであるか否かが判定され、変動処理中のフラグがＯＮである場合はステップＳ５２で変動時間が変動パターンの時間以上であるか否かが判定され、変動時間が変動パターンの時間以上である場合はステップＳ５３で演出制御基板７３に確定信号が送信され、ステップＳ５４で変動処理中のフラグがＯＦＦされ、ステップ５５で変動時間をリセットする。なお、ステップＳ５１で変動処理中のフラグがＯＮでない場合およびステップＳ５２で変動時間が変動パターンの時間以上でない場合はステップＳ５３、ステップＳ５４、ステップＳ５５を処理しない。
【００３３】
４．演出制御基板７３の内部処理について
演出制御基板７３のＣＰＵ７４は、図６のステップＳ４２でメイン制御基板２８から送信された変動パターンを受信し、この受信した変動パターンが外れ変動パターンであるか否かを判定する。ここで外れの変動パターンであることを検出すると、外れ演出パターン選択カウンタの現在の計測値を取得し、この取得した選択カウンタ値に対応する外れ演出パターンを複数の外れ演出パターンの中から選択する。次に、外れ演出パターンに応じた外れ表示処理を行う。
【００３４】
また、ＣＰＵ７４は、外れの変動パターンでないことを検出したときには、大当りの変動パターンであるか否かを判定する。ここで大当り変動パターンであることを検出すると、大当り演出パターン選択カウンタの現在の計測値を取得し、この取得した選択カウンタ値に対応する大当り演出パターンを複数の大当り演出パターンの中から選択する。次に、演出パターンに応じた表示処理を行う。
また、演出パターンに応じて可動役物２４を動作させるか否かが決められる。
【００３５】
５．可動役物の構造について
図８〜図１１は、図１に示す可動役物２４の構造の詳細を示すものである。図８（Ａ）は、図１に示す可動役物が閉じた状態の上面図であり、図８（Ｂ）は、図８（Ａ）に示す実線で囲んだ領域を拡大した断面図である。図９（Ａ）は、図１に示す可動役物が閉じた状態の正面図であり、図９（Ｂ）は、図１に示す可動役物が開いた状態の正面図である。図１０（Ａ）は、図９（Ａ）に示す可動役物の上面図であり、図１０（Ｂ）は、図９（Ｂ）に示す可動役物の上面図である。図１１（Ａ）は、図９（Ａ）に示す可動役物の斜視図であり、図１１（Ｂ）は、図９（Ｂ）に示す可動役物の斜視図である。
【００３６】
図８〜図１１に示す可動役物は、第１及び第２の遮蔽体５１，５２を有しており、第１及び第２の遮蔽体５１，５２それぞれは次のような形状からなるものである。
まず、内部が空の楕円体（例えば球体が扁平したような形状であり、長径と短径を有している。）をその長径方向に沿って切断することで二分割体を得る。この二分割体は二等分に分割したものではない。この二分割体のうち大きさの小さい方の二分割体を、前記小さい方の二分割体の第１切断面に垂直で且つ短径方向に沿って略二等分に更に切断することで二分割体を得る。この二分割体のうちの一方が第１の遮蔽体５１であり、他方が第２の遮蔽体５２である。尚、第１及び第２の遮蔽体５１，５２それぞれの外表面には装飾が施されている（図９（Ａ）参照）。また、前記楕円体とは、楕円の長径を軸線として回転させた回転楕円体を意味する。
【００３７】
第１及び第２の遮蔽体５１，５２は、遊技者に対して装飾物５０の前面を覆い隠したり（図８、図９（Ａ）、図１０（Ａ）、図１１（Ａ）に示す状態）、露出させたりするものである（図９（Ｂ）、図１０（Ｂ）、図１１（Ｂ）に示す状態）。
装飾物５０は、前記略二等分に切断して得られた第１の遮蔽体５１の端面５１ａ及び第２の遮蔽体５２の端面５２ａを互いに接触させることで一体化された第１の遮蔽体及び第２の遮蔽体の内側に配置されている。
【００３８】
また、装飾物５０の後側には回転軸４７が配置されており、この回転軸４７は、前記第１切断面と平行に配置されている（図８（Ａ）参照）。回転軸４７は、第１の連結部材５８によって第１の遮蔽体５１に連結され、第２の連結部材６０によって第２の遮蔽体５２に連結されている。第１の遮蔽体５１は第１の連結部材５８によって回転軸４７を中心として回転可能に取り付けられており、第２の遮蔽体５２は第２の連結部材６０によって回転軸４７を中心として回転可能に取り付けられている。
【００３９】
第１の連結部材５８には第１突起５８ａが設けられており、第２の連結部材６０には第２突起６０ａが設けられている。第１突起５８ａは、横長の第１開口６１ａに挿入されており、第１開口６１ａ内を前記短径方向に沿って略二等分に切断した第２切断面５３と垂直方向にスライドするようになっている。第２突起６０ａは、横長の第２開口６１ｂに挿入されており、第２開口６１ｂ内を第２切断面５３と垂直方向にスライドするようになっている。第１開口６１ａの長手方向は第２開口６１ｂの長手方向と同一の方向を向いている。
【００４０】
第１開口６１ａ及び第２開口６１ｂは突起スライド部材６１に設けられている。この突起スライド部材６１はアクチュエータ（駆動源）６２の駆動軸の先端に固定されており、このアクチュエータ６２は前記駆動軸を矢印６２ａの方向に引く動作を行わせるものである。アクチュエータ６２によって前記駆動軸を矢印６２ａの方向に引くことにより、前記駆動軸とともに突起スライド部材６１が矢印６２ａの方向に移動される。その際に第１開口６１ａ内及び第２開口６１ｂ内を第１突起５８ａ及び第２突起６０ａが互いに近づく方向にスライドされ、それにより第１及び第２の連結部材５８，６０とともに第１及び第２の遮蔽体５１，５２が回転軸４７を中心として互いに逆方向に回転され離間される。その結果、図９（Ａ）に示す装飾物５０の前側を覆い隠している状態から図９（Ｂ）に示す装飾物５０の前側を露出させた状態にすることができる。
【００４１】
アクチュエータ６２が駆動軸を引くのを停止すると、前記駆動軸が矢印６２ａとは逆方向に移動するようにバネ（図示せず）が取り付けられている。従って、前記駆動軸を引くのを停止すると、前記バネによって前記駆動軸が矢印６２ａとは逆方向に移動される。その際に第１開口６１ａ内及び第２開口６１ｂ内を第１突起５８ａ及び第２突起６０ａが互いに離れる方向にスライドされ、それにより第１及び第２の連結部材５８，６０とともに第１及び第２の遮蔽体５１，５２が回転軸４７を中心として互いに逆方向に回転され、第１の遮蔽体５１の端面５１ａと第２の遮蔽体５２の端面５２ａとが接触される。その結果、図９（Ｂ）に示す装飾物５０の前側を露出させた状態から図９（Ａ）に示す装飾物５０の前側を覆い隠した状態にすることができる。
【００４２】
装飾物５０、第１及び第２の遮蔽体５１，５２の外周にはカバー６３が配置されている。図８（Ａ）に示す球状物を四分割した第１及び第２の遮蔽体４５，４６を用いた場合は、第１及び第２の遮蔽体４５，４６を回転軸を中心として回転させたときの円形状軌道４９より外側にカバー６３ａの端部を設けることになる。一方、本実施の形態による第１及び第２の遮蔽体５１，５２を用いた場合は、楕円体を四分割した形状の遮蔽体であるため、第１及び第２の遮蔽体５１，５２を回転軸４７を中心として回転させたときの楕円形状軌道６４が前記円形状軌道４９より内側に位置するため、カバー６３の端部を前記カバー６３ａの端部より内側に設けることができる。従って、第１及び第２の遮蔽体５１，５２とカバー６３との間の隙間を、第１及び第２の遮蔽体５１，５２とカバー６３ａとの隙間より小さくすることができる。
【００４３】
また、第１の遮蔽体５１の端面５１ａ及び第２の遮蔽体５２の端面５２ａそれぞれはテーパー（先細り）面とされている。このため、端面５１ａと端面５２ａを互いに接触させることによって装飾物５０の前側を覆い隠した際に、第１の遮蔽体５１及び第２の遮蔽体５２それぞれの厚み方向において第１の遮蔽体５１と第２の遮蔽体５２とが前記テーパー面で重なる状態がもたらされ、この状態では装飾物５０が端面５１ａと端面５２ａとの間の隙間から露出しないようにすることができる。換言すれば、端面５１ａと端面５２ａとの間に多少の隙間が生じた場合でも、テーパー面としなかった場合に比べて隙間を目立たなくすることができる。
【００４４】
上記実施の形態による可動役物によれば、第１及び第２の遮蔽体５１，５２それぞれを、楕円体を分割した形状としているため、遊技盤面とガラス板までの距離が決まっており奥行き制限があるパチンコ機においても装飾物５０の大きさを大きくすることができる。
【００４５】
尚、本発明は上記の実施の形態に限定されず、本発明の主旨を逸脱しない範囲内で種々変更して実施することが可能である。
【図面の簡単な説明】
【００４６】
【図１】本発明の実施の形態による遊技盤を示す前面図。
【図２】本発明の実施の形態による遊技機の全体構成を示す前面図。
【図３】本発明の実施の形態による遊技機の全体構成を示す後面図。
【図４】図１〜図３に示す遊技機の制御部を示すブロック図。
【図５】実施の形態による遊技機のメイン制御基板のメインプログラムを示すフローチャート。
【図６】実施の形態による遊技機のメイン制御基板のメインプログラムの一部を示すフローチャート。
【図７】実施の形態による遊技機のメイン制御基板のメインプログラムの一部を示すフローチャート。
【図８】（Ａ）は、図１に示す可動役物が閉じた状態の上面図、（Ｂ）は、（Ａ）に示す実線で囲んだ領域を拡大した断面図。
【図９】（Ａ）は、図１に示す可動役物が閉じた状態の正面図、（Ｂ）は、図１に示す可動役物が開いた状態の正面図。
【図１０】（Ａ）は、図９（Ａ）に示す可動役物の上面図、（Ｂ）は、図９（Ｂ）に示す可動役物の上面図。
【図１１】（Ａ）は、図９（Ａ）に示す可動役物の斜視図、（Ｂ）は、図９（Ｂ）に示す可動役物の斜視図。
【符号の説明】
【００４７】
２４…可動役物、２６…始動口、４７…回転軸、５０…装飾物、５１…第１の遮蔽体、５１ａ…第１の遮蔽体の端面、５２…第２の遮蔽体、５２ａ…第２の遮蔽体の端面、５３…第２切断面、５８…第１の連結部材、５８ａ…第１突起、６０…第２の連結部材、６０ａ…第２突起、６１…突起スライド部材、６１ａ…第１開口、６１ｂ…第２開口、６２…アクチュエータ
【図１】
2008295628.tif 000003
【図２】
2008295628.tif 000004
【図３】
2008295628.tif 000005
【図４】
2008295628.tif 000006
【図５】
2008295628.tif 000007
【図６】
2008295628.tif 000008
【図７】
2008295628.tif 000009
【図８】
2008295628.tif 000010
【図９】
2008295628.tif 000011
【図１０】
2008295628.tif 000012
【図１１】
2008295628.tif 000013